(57)【要約】      （修正有）【課題】清掃する底面が凹凸状をしていても擦り残りが無い清掃を行うことを可能にする水槽用ブラシ可動式清掃装置を提供する。【解決手段】水槽の底面５１Ａを擦ることにより清掃するブラシ構成体２は、複数個のブラシ３と、複数個のブラシを横方向に列設した状態で、個々のブラシを上下動可能に支持する支持バー４と、支持バーと各ブラシとの間に配設し、各ブラシを下方に常時付勢する板ばね５とから構成されている。ブラシ構成体２は、支持バー４にピン結合した作動ロッド７を有するブラシ進退機構によって水槽の底面上を前後方向に移動する。【選択図】図８
0003211905.tif 000002
【実用新案登録請求の範囲】
【請求項１】
水槽の底面を擦ることにより清掃するブラシ構成体は、ブラシ本体の上端側をブラシ形成材で支持して形成した横長立方体状の複数個のブラシと、該複数個のブラシを横方向に列設した状態で、個々のブラシを上下動可能に支持する支持バーと、該支持バーと前記各ブラシ形成材との間に配設し、前記ブラシを下向に常時付勢する弾性材とから構成し、該ブラシ構成体は、前記支持バーに連結した作動ロッドを有するブラシ進退機構によって前記水槽内を前後方向に移動させるようにしてなる水槽用ブラシ可動式清掃装置。
【請求項２】
前記ブラシ進退機構は、前記支持バーの長手方向中間に位置して下端側をピン結合し、上端側が前後方向に揺動可能な作動ロッドと、該作動ロッドの上端側に連結して前記ブラシ構成体を前後方向に牽引する走行ワイヤーと、前記水槽の対向縁側に配置し、該走行ワイヤーを進退駆動する駆動体とから構成してある請求項１記載の水槽用ブラシ可動式清掃装置。
【請求項３】
前記駆動体は、前記水槽の一側上縁に配置したワイヤー巻取り繰り出しするワイヤー進退ドラムと、該水槽の他側上縁に配置したワイヤー誘導ドラムと、前記ワイヤー進退ドラムとワイヤー誘導ドラムとの間に進退可能に巻装した前記走行ワイヤーと、該走行ワイヤーを駆動すべく前記ワイヤー進退ドラムを正逆回転する駆動モーターとから構成してある請求項２記載の水槽用ブラシ可動式清掃装置。
【請求項４】
前記作動ロッドの上端側と前記支持バーの両端側との間に、支持ワイヤーを張設してあることを特徴とする請求項１記載の水槽用ブラシ可動式清掃装置。
【請求項５】
前記支持バーには、左右の均等な位置に前記底面を走行する走行ローラーを設けてあることを特徴とする請求項３記載の水槽用ブラシ可動式清掃装置。
【考案の詳細な説明】
【技術分野】
【０００１】
本考案は、例えば鮭鱒孵化場や養殖場等の魚類飼育水槽、運動用或は遊園用プール等、種々の水槽の底面の汚れを清掃するのに好適な水槽用ブラシ可動式清掃装置に関する。
【背景技術】
【０００２】
例えば、魚類飼育水槽の底面は、餌の残渣、魚類の糞等の異物、風で舞った土等が沈積することから、汚れの状況に応じて水を抜いて清掃を行う必要がある。そこで、従来は作業員が柄付きのデッキブラシによって清掃作業を行っていたが、作業性を高めるために清掃する水槽の横幅に相当する長さ約１，０００ｍｍの棒状支持部材にブラシを複数個並べて固定して構成した清掃用ブラシで底面を擦ることを行っている。
【先行技術文献】
【特許文献】
【０００３】
【特許文献１】見出せず。
【考案の概要】
【考案が解決しようとする課題】
【０００４】
上記した水槽の底面は、水槽の使用目的からして平坦面に綺麗に仕上げていないのが一般的であり、他方従来の清掃用ブラシは、長尺の棒状支持部材に複数個のブラシを固定して構成してあることから、凹凸のある底面を清掃する場合にはブラシが底面を洩れなく擦ることが出来ずに、窪みの部分が擦り残りになってしまうという問題がある。
【０００５】
本考案は、上述した従来技術の問題点に鑑みなされたもので、清掃する底面が凹凸状をしていても擦り残りの無い清掃を行うことを可能にする水槽用ブラシ可動式清掃装置を提供することを目的とする。
【課題を解決するための手段】
【０００６】
（１）上述した課題を解決するために構成した本考案の手段は、水槽の底面を擦ることにより清掃するブラシ構成体は、ブラシ本体の上端側をブラシ形成材で支持して形成した横長立方体状の複数個のブラシと、該複数個のブラシを横方向に列設した状態で、個々のブラシを上下動可能に支持する支持バーと、該支持バーと前記各ブラシ形成材との間に配設し、前記ブラシを下向に常時付勢する弾性材とから構成し、該ブラシ構成体は、前記支持バーに連結した作動ロッドを有するブラシ進退機構によって前記水槽内を前後方向に移動させるようにしたものからなる。
（２）前記ブラシ進退機構は、前記支持バーの長手方向中間に位置して下端側をピン結合し、上端側が前後方向に揺動可能な作動ロッドと、該作動ロッドの上端側に連結して前記ブラシ構成体を前後方向に牽引する走行ワイヤーと、前記水槽の対向縁側に配置し、該走行ワイヤーを進退駆動する駆動体とからなる。
（３）前記駆動体は、前記水槽の一側上縁に配置したワイヤー巻取り繰り出しするワイヤー進退ドラムと、該水槽の他側上縁に配置したワイヤー誘導ドラムと、前記ワイヤー進退ドラムとワイヤー誘導ドラムとの間に進退可能に巻装した前記走行ワイヤーと、該走行ワイヤーを駆動すべく前記ワイヤー進退ドラムを正逆回転する駆動モーターとから構成してある。
（４）前記作動ロッドの上端側と前記支持バーの両端側との間に、支持ワイヤーを張設するとよい。
（５）前記支持バーには、左右の均等な位置に前記底面を走行する走行ローラーを設けるとよい。
【考案の効果】
【０００７】
本考案は上述の如く構成したから、下記の諸効果を奏する。
（１）ブラシ構成体は、複数個のブラシを支持バーに上下動可能に列設し、かつ個々のブラシは弾性材で下方に付勢する構成にしたから、水槽の底面に凹凸があっても個々のブラシが上下動して凹凸に対応するので、擦り残しの無い清掃ができる。
（２）ブラシ進退機構は、ブラシ構成体に下端側をピン結合し、走行ワイヤーに係合した作動ロッドを駆動体により前後方向に牽引することにより、ブラシ構成体を水槽内で往復動させるので、底面の清掃を効率的に行うことができる。
（３）駆動体は、ワイヤー進退ドラムと、ワイヤー誘導ドラムと、駆動モーター及び走行ワイヤーとにより簡潔に構成してあるから、可搬性があるし、ブラシ構成体を移動させる操作も容易である。
（４）長尺の支持バーは、作動ロッドとの間に張設した左右の支持ワイヤーで支持して直線状を維持する構成にしたから、支持バーの先端側に位置するブラシも底面を確実に擦る清掃作業を行うことができる。また、清掃作業中に支持バーが撓む、捩れるといった変形を防止することができる。
（５）支持バーに底面を走行する走行ローラーを設けたから、長尺の支持バーを撓むことなく支承し、またブラシを底面に確実に擦らせることができる。
【図面の簡単な説明】
【０００８】
【図１】本考案の実施の形態に係る水槽用ブラシ可動式清掃装置の全体構成図である。
【図２】ブラシ構成体と作動ロッドの正面図である。
【図３】ブラシ構成体の一部を破断して示す説明図である。
【図４】ブラシ構成体の部分斜視図である。
【図５】図４中のＶ−Ｖ矢示方向断面図である。
【図６】ブラシの斜視図である。
【図７】ブラシ構成体が凹状底面を擦る可動状態の説明図である。
【図８】ブラシ構成体が凸状底面を擦る可動状態の説明図である。
【考案を実施するための形態】
【０００９】
以下に、本考案の実施の形態を図面に基き詳述する。図において、１は水槽５１の底面５１Ａを清掃するための水槽用ブラシ可動式清掃装置を示す。２は該清掃装置１を構成し、底面５１Ａを擦ることにより清掃するブラシ構成体である。３、３、・・・は該ブラシ構成体２を構成する複数個のブラシで、該各ブラシ３は例えばナイロン繊維を多数本、約５０本を束ねたブラシ本体３Ａと、該ブラシ本体３Ａの上端側を咬持するブラシ成形材３Ｂとから構成してある。そして、該各ブラシ成形材３Ｂは、長方形の上板３Ｂ１と、該上板３Ｂ１の四辺から下向きに形成した側板３Ｂ２、３Ｂ２、３Ｂ３、３Ｂ３と、該各側板３Ｂ２、３Ｂ３の下縁を内側に屈曲させた咬持縁３Ｂ４、３Ｂ４とからなり、例えば合成樹脂材や、アルミニュウム等の金属材で形成してある。そして、ブラシ成形材３Ｂはブラシ本体３Ａの上端側を銜えた状態で一体化することでナイロン繊維を、例えば長さ約２００ｍｍ、幅約１００ｍｍ、高さ約１２０ｍｍの略横長四角体の形状に形成してある。なお、この数値は例示であり、ブラシ３はこの寸法に限定されるものではない。
【００１０】
４は前記複数個のブラシ３、３、・・・を長手方向に列設し、かつ上下動可能に支持する支持バーを示す。該支持バー４は合成樹脂材、或は金属材によって長尺、例えば５，０００ｍｍの長さに形成したもので、細長い上面板４Ａと、該上面板４Ａの長手方向側縁から下向きに形成した一対の側面板４Ｂ、４Ｂと、該各側面板４Ｂの下縁を内向きに屈曲させた係止縁４Ｃとから縦断面角型下向きＣ字状をなし、内部に前記ブラシ成形材３Ｂが上下動可能な空隙Ｃを設けることにより、ブラシ３は上下動可能な可動式になっている。
【００１１】
５、５、・・・は前記支持バー４と各ブラシ成形材３Ｂとの間に設けた板ばねで、該板ばね５はブラシ成形材３Ｂの上板３Ｂ１に螺子、鋲等の適宜の手段で夫々４個固定してある。この板ばね５は常時はブラシ３を下方に付勢することで底面５１Ａの凹面を擦り、凸面状の場合は撓んでブラシ３を上方に変位させることで底面５１Ａに倣って擦ることで、ブラシ３、３、・・・は常に底面５１Ａを擦るようになっている。なお、板ばね５は金属製でも合成樹脂製のいずれでもよい。
【００１２】
かくして、ブラシ構成体２は、複数個のブラシ３と、該複数個のブラシ３、３、・・を横方向に列設した状態で、かつ上下動可能に支持する支持バー４と、ブラシ支持材３Ｂの上板３Ｂ１に取付けられ、該支持バー４との間のばね力によりブラシ３を下方に付勢する複数個の板ばね５とから大略構成してある。
【００１３】
６は上述の構成からなるブラシ構成体２を水槽５１の底面５１Ａ上で前後方向に移動させるためのブラシ進退機構を示す。７は該ブラシ進退機構６を構成し、支持バー４を前後方向に牽引する作動ロッドを示す。該作動ロッド７は一対の棒材７Ａ、７Ａと、該一対の棒材７Ａ、７Ａの間に軸着したスペーサーとしての複数個のカラー７Ｂ、７Ｂ、・・とから一体に構成し、下端側７Ｃは支持バー４の長手方向略中間に位置してピン結合７Ｄしてあり、上端側７Ｅは前後方向に転動可能になっている。８、８は移動する支持バー４が撓む、捩じれるといった変形をすることなく一体に移動させるための一対の支持ワイヤーで、該支持ワイヤー８は作動ロッド７の上端側７Ｅと支持バー４の両先端側４Ｄ、５Ｄとの間に張設し、ターンバックル８Ａによって張力を付与して支えている。
【００１４】
９、９は作動ロッド７の左右の均等の位置に支持バー４に設けた一対の走行ローラーを示す。該各走行ローラー９は支持バー４に設けたブラケット９Ａに軸支してあり、底面５１Ａに対してブラシ構成体２の重量を支えることでブラシ３が底面５１Ａに圧接する事態を防止している。
【００１５】
１０はブラシ進退機構６を構成する駆動体を示す。１１は該駆動体１０を構成し、水槽５０の一側上縁５１Ｂに配置したワイヤー進退ドラムを示す。該ワイヤー進退ドラム１１は後述する走行ワイヤー１５を正逆方向に巻取って進退させるもので、駆動モーター１２によって正逆回転するようになっている。
１３は前記ワイヤー進退ドラム１１に対向して水槽５１の他側上縁５１Ｃに配置したワイヤー誘導ドラムを示す。該ワイヤー誘導ドラム１３は架台１３Ａ
に進退可能に搭載してあり、架台１３Ａに設けたねじ棒からなる張力調整具１４により該誘導ドラム１３は進退可能に構成してある。
【００１６】
１５はワイヤー進退ドラム１１とワイヤー誘導ドラム１３との間に巻装した走行ワイヤーで、該走行ワイヤー１５は前記張力調整具１４によって張力が調整可能になっている。
【００１７】
１６は前記駆動体１１の駆動力を走行ワイヤー１５に伝達するためのガイドロッドを示す。該ガイドロッド１６は作動ロッド７の棒材７Ａ、７Ａの間に挿通した作動軸１６Ａと、作動ロッド７の両側に位置して該作動軸１６Ａに設けた左右一対のストッパー１６Ｂ、１６Ｂと、作動軸１６Ａの両端に設けられ、走行ワイヤー１５の両端が連結される連結環１６Ｃ、１６Ｃとから構成してある。
そして、走行ワイヤー１５が矢示イ、ロ方向の前後方向に変位するのに伴ってガイドロッド１６も前後方向に牽引されることにより、作動ロッド７はピン結合７Ｄを支点に前後方向に転動し、ブラシ構成体２は底面５１Ａを矢示イ、ロ方向に牽引され。
【００１８】
本実施の形態は上述の構成からなり、水槽５１の底面５１Ａを清掃する場合は、水槽５１の一側上縁５１Ｂにワイヤー進退ドラム１２を設置し、他側上縁５１Ｃにワイヤー誘導ドラム１４を設置し、ワイヤー進退ドラム１２とワイヤー誘導ドラム１４との間に走行ワイヤー１５を巻装し、張力調整具１４によって走行ワイヤー１５の張力を調整する。
【００１９】
これら作業に併せて、水槽５１の底面５１Ａにブラシ構成体２を配置し、作動ロッド７の上端側７Ｄにガイドロッド１６を係合することにより、走行ワイヤー１５の前後方向の移動を作動ロッド７を介してブラシ構成体２に伝達するように組付ける。
【００２０】
しかる後、ワイヤー進退ドラム１１を駆動モーター１２により駆動して走行ワイヤー１５を矢示イ方向（ロ方向）に走行させることによりブラシ構成体２が底面５１Ａを擦ることで清掃する。この清掃時に、ブラシ構成体２は複数個のブラシ３、３、・・の各々が底面５１Ａの凹凸に倣って上下動する可動式に構成してあるから、底面５１Ａに窪みがあっても斑無く清掃することができる。この清掃作業を前後方向に繰り返し行うことで、底面５１Ａを綺麗に清掃することができる。
【００２１】
なお、本考案の弾性材は板ばね５に限らず、ゴム、ウレタン等であってもよい。
【符号の説明】
【００２２】
１      水槽用ブラシ可動式清掃装置
２      ブラシ構成体
３      ブラシ
３Ａ    ブラシ本体
３Ｂ    ブラシ形成材
４      支持バー
５      板ばね（弾性材）
６      ブラシ進退機構
７      作動ロッド
８      支持ワイヤー
９      走行ローラー
１０    駆動体
１１    ワイヤー進退ドラム
１２    駆動モーター
１３    ワイヤー誘導ドラム
１５    走行ワイヤー
５１    水槽
５１Ａ  底面
【図１】
0003211905.tif 000003
【図２】
0003211905.tif 000004
【図３】
0003211905.tif 000005
【図４】
0003211905.tif 000006
【図５】
0003211905.tif 000007
【図６】
0003211905.tif 000008
【図７】
0003211905.tif 000009
【図８】
0003211905.tif 000010